(57)【要約】【課題】パスワードやＩＤカードを盗まれると、情報処理装置を不正に起動されてしまう。ＨＤＤ（ハードディスクドライブ）の中の情報を不正に読み出すために、情報処理装置の中の電源回路に外部から無理やり電力を供給して、情報処理装置を起動させ、不正アクセスが行われる。【解決手段】予め決められた操作を受け付けた後、または予め決められた順序で電圧が印加された場合でなければ、電源が立ち上がらないようにする、あるいは、予め決められた操作と異なる操作を受けた場合、電源を停止する、ＣＰＵを停止する、ＨＤＤの読み出しを禁止する、ＨＤＤ内のデータを削除する、ＨＤＤをフォーマットする、などの処理により、情報処理装置の不正な使用を防止できる。【選択図】  図１
2004192191.tif 000002
【特許請求の範囲】
【請求項１】
予め決められた操作を受け付けた後でなければ、主電源が立ち上がらないようにした情報処理装置。
【請求項２】
電源、ＣＰＵ、ＨＤＤ、操作検出部を備え、操作検出部が、予め決められた操作と異なる操作を受けた場合、電源を停止する、ＣＰＵを停止する、ＨＤＤの読み出しを禁止する、ＨＤＤ内のデータを削除する、ＨＤＤをフォーマットする、のうち少なくとも一つを行なうようにした情報処理装置。
【請求項３】
前記、ＨＤＤの読み出しを禁止する、ＨＤＤ内のデータを削除する、ＨＤＤをフォーマットする、のうち少なくとも一つを、ＨＤＤまたはＣＰＵが行なうようにした請求項２に記載の情報処理装置。
【請求項４】
電源、ＣＰＵ、ＨＤＤ、カードに記録されている識別情報であるＩＤを読み取るカードリーダ、ＩＤ比較部を備え、前記カードリーダが読み取ったＩＤと、ＨＤＤが保有しているＩＤとをＩＤ比較部が照合した結果、一定の条件を満たさなければ、主電源が立ち上がらないようにした情報処理装置。
【請求項５】
電源、ＣＰＵ、ＨＤＤ、カードに記録されている識別情報であるＩＤを読み取るカードリーダ、ＩＤ比較部を備え、前記カードリーダが読み取ったＩＤと、ＨＤＤが保有しているＩＤとをＩＤ比較部が照合した結果、一致しなければ、電源を停止する、ＣＰＵを停止する、ＨＤＤの読み出しを禁止する、ＨＤＤ内のデータを削除する、ＨＤＤをフォーマットする、のうち少なくとも一つを行なうようにした情報処理装置。
【請求項６】
前記ＨＤＤの読み出しを禁止する、ＨＤＤ内のデータを削除する、ＨＤＤをフォーマットする、のうち少なくとも一つを、ＨＤＤまたはＣＰＵが行なうようにした請求項５に記載の情報処理装置。
【請求項７】
電源、ＣＰＵ、ＨＤＤ、カードに記録されている識別情報であるＩＤを読み取るカードリーダ、ＩＤ比較部を備え、前記カードリーダがＩＤを読み出せなくなった場合、電源をＯＦＦにする、ＣＰＵを停止する、ＨＤＤの読み出しを禁止する、ＨＤＤ内のデータを削除する、ＨＤＤをフォーマットする、のうち少なくとも一つを行なうようにした情報処理装置。
【請求項８】
カードリーダは、非接触式カードリーダであることを特徴とする請求項４から請求項７いずれかに記載の情報処理装置。
【請求項９】
電源、ＣＰＵ、ＨＤＤ、電源シーケンサ、監視部を備え、監視部が、予め決められた電源シーケンスを検出した後でなければ、起動しないようにした情報処理装置。
【請求項１０】
電源、ＣＰＵ、ＨＤＤ、電源シーケンサ、監視部を備え、監視部が、予め決められた電源シーケンスを検出した後でなければ、ＣＰＵまたはＨＤＤが起動しないようにした情報処理装置。
【請求項１１】
電源、ＣＰＵ、ＨＤＤ、電源シーケンサ、監視部を備え、監視部が、予め決められた電源シーケンスと異なるシーケンスを検出した場合、電源を停止する、ＣＰＵを停止する、ＨＤＤの読み出しを禁止する、ＨＤＤ内のデータを削除する、ＨＤＤをフォーマットする、のうち少なくとも一つを行なうようにした情報処理装置。
【請求項１２】
前記ＨＤＤの読み出しを禁止する、ＨＤＤ内のデータを削除する、ＨＤＤをフォーマットする、のうち少なくとも一つを、ＨＤＤまたはＣＰＵが行なうようにした請求項１１に記載の情報処理装置。
【請求項１３】
予め決められた操作を受け付けるステップと、受け付けた後に、主電源を立ち上げるステップを備えた情報処理方法。
【請求項１４】
予め決められた操作と異なる操作を検出するステップと、上記異なる操作の検出を受けて、電源を停止する、ＣＰＵを停止する、ＨＤＤの読み出しを禁止する、ＨＤＤ内のデータを削除する、ＨＤＤをフォーマットする、のうち少なくとも一つを行なうステップを備えた情報処理方法。
【請求項１５】
前記ＨＤＤの読み出しを禁止する、ＨＤＤ内のデータを削除する、ＨＤＤをフォーマットする、のうち少なくとも一つのステップを備え、後者のステップを、ＨＤＤまたはＣＰＵが行なうようにした請求項１４に記載の情報処理方法。
【請求項１６】
電源、ＣＰＵ、ＨＤＤ、カードに記録されている識別情報であるＩＤを読み取るカードリーダ、ＩＤ比較部を備える情報処理装置における情報処理方法であって、前記カードリーダが読み取ったＩＤと、ＨＤＤが保有しているＩＤとをＩＤ比較部が照合するステップと、照合結果が一定の条件に合致しない場合に、主電源が立ち上がらないようにするステップとを備えた情報処理方法。
【請求項１７】
電源、ＣＰＵ、ＨＤＤ、カードに記録されている識別情報であるＩＤを読み取るカードリーダ、ＩＤ比較部を備える情報処理装置における情報処理方法であって、カードリーダが読み取ったＩＤと、ＨＤＤが保有しているＩＤとをＩＤ比較部が照合するステップと、照合結果が一定の条件に合致しない場合に、電源を停止する、ＣＰＵを停止する、ＨＤＤの読み出しを禁止する、ＨＤＤ内のデータを削除する、ＨＤＤをフォーマットする、のうち少なくとも一つを行なうステップとを備えた情報処理方法。
【請求項１８】
前記ＨＤＤの読み出しを禁止する、ＨＤＤ内のデータを削除する、ＨＤＤをフォーマットする、のうち少なくとも一つを行なうステップを備え、後者のステップを、ＨＤＤまたはＣＰＵが行なうようにした請求項１７に記載の情報処理方法。
【請求項１９】
電源、ＣＰＵ、ＨＤＤ、カードに記録されている識別情報であるＩＤを読み取るカードリーダ、ＩＤ比較部を備える情報処理装置における情報処理方法であって、カードリーダがＩＤを読み出すステップと、ＩＤを読み出せなくなった場合に、電源をＯＦＦにする、ＣＰＵを停止する、ＨＤＤの読み出しを禁止する、ＨＤＤ内のデータを削除する、ＨＤＤをフォーマットする、のうち少なくとも一つを行なうステップとを備えるようにした情報処理方法。
【請求項２０】
カードリーダは、非接触式カードリーダであることを特徴とする請求項１６から請求項１９いずれかに記載の情報処理方法。
【請求項２１】
電源、ＣＰＵ、ＨＤＤ、電源シーケンサ、監視部を備える情報処理装置における情報処理方法であって、前記監視部が、予め決められた電源シーケンスを検出するステップと、検出した後に電源を起動するステップとを備えた情報処理方法。
【請求項２２】
電源、ＣＰＵ、ＨＤＤ、電源シーケンサ、監視部を備える情報処理装置における情報処理方法であって、前記監視部が、予め決められた電源シーケンスを検出するステップと、検出した後にＣＰＵまたはＨＤＤを起動するステップを備えた情報処理方法。
【請求項２３】
電源、ＣＰＵ、ＨＤＤ、電源シーケンサ、監視部を備える情報処理装置における情報処理方法であって、前記監視部が、予め決められた電源シーケンスと異なるシーケンスを検出するステップと、異なるシーケンスを検出した場合に、電源を停止する、ＣＰＵを停止する、ＨＤＤの読み出しを禁止する、ＨＤＤ内のデータを削除する、ＨＤＤをフォーマットする、のうち少なくとも一つを行なうステップとを備えた情報処理方法。
【請求項２４】
前記ＨＤＤの読み出しを禁止する、ＨＤＤ内のデータを削除する、ＨＤＤをフォーマットする、のうち少なくとも一つを行なうステップとを備え、後者のステップを、ＨＤＤまたはＣＰＵが行なうようにした請求項２３に記載の情報処理方法。
【請求項２５】
前記予め決められた操作を、変更可能としたことを特徴とする請求項１または請求項２いずれかに記載の情報処理装置。
【請求項２６】
前記予め決められた電源シーケンスを、変更可能としたことを特徴とする請求項９から請求項１１いずれかに記載の情報処理装置。
【請求項２７】
前記予め決められた操作を、変更可能としたことを特徴とする請求項１３または請求項いずれか１４に記載の情報処理方法。
【請求項２８】
前記予め決められた電源シーケンスを、変更可能としたことを特徴とする請求項２１から請求項いずれか２３に記載の情報処理方法。
【発明の詳細な説明】
【０００１】
【発明の属する技術分野】
本発明は、情報処理装置および情報処理方法に関し、特に、情報処理装置に不正にアクセスすることを防止するようにしたセキュリティを高めた情報処理装置および情報処理方法に関する。
【０００２】
【従来の技術】
従来、ノート型のパソコンやデスクトップ型のパソコン等の情報処理装置において、他人が勝手に電源を入れて内部の情報を見たり、改ざんしたり、情報を盗んだりすることを防止する方法として、パスワードを入力し、正しいパスワードを知っているもののみが情報処理装置を起動できるようにする方法、ＩＤカードを差し込むことにより、ＩＤカードの所持者のみが起動できるようにする方法が知られている。このようなシステムでは、電源を入れて、パソコンが起動した後、パスワード確認画面が現れ、使用者がパスワードを入力すると、パスワードが正しければ、次の操作に移行でき、正しくないなら、次の操作に移行できず、再試行を促す画面が出るようにしている。したがって、使用者が正しいパスワードを知らない限り、パソコンの中データを盗むことが防止できる。また、正しいＩＤカードを差し込まない限り、ＩＤカードが違う旨のメッセージが表示され、次の操作を受け付けないので、認定された正規の使用者以外によるパソコン内部への侵入を防止できる。
【０００３】
【発明が解決しようとする課題】
上記のような従来の方法を講じておいても、パスワードやＩＤカードを盗まれると、不正に情報処理装置を起動されてしまう。また、最近では、ＨＤＤ（ハードディスクドライブ）の中の情報を不正に読み出すために、情報処理装置の中の電源回路に外部から無理やり電力を供給して、情報処理装置を起動してしまうような手口もある。本発明は、これらの不正アクセスに対するセキュリティを高めた情報処理装置を提供することを目的とする。
【０００４】
【課題を解決するための手段】
上記の課題を解決するために、本発明の情報処理装置は、以下のような手段、手法を採用する。
【０００５】
（１）予め決められた操作を受け付けた後でなければ、主電源が立ち上がらないようにした情報処理装置。
【０００６】
（２）電源、ＣＰＵ、ＨＤＤ、操作検出部を備え、操作検出部が、予め決められた操作と異なる操作を受けた場合、電源をＯＦＦすなわち停止する、ＣＰＵを停止する、ＨＤＤの読み出しを禁止する、ＨＤＤ内のデータを削除する、ＨＤＤをフォーマットする、のうち少なくとも一つを行なうようにした情報処理装置。
【０００７】
（３）（２）において、ＨＤＤの読み出しを禁止する、ＨＤＤ内のデータを削除する、ＨＤＤをフォーマットする、のうち少なくとも一つを、ＨＤＤまたはＣＰＵが行なうようにした情報処理装置。
【０００８】
（４）電源、ＣＰＵ、ＨＤＤ、カードリーダ、ＩＤ比較部を備え、カードリーダが読み取ったＩＤと、ＨＤＤが保有しているＩＤとをＩＤ比較部が照合した結果、一定の条件を満たさなければ、主電源が立ち上がらないようにした情報処理装置。
【０００９】
（５）電源、ＣＰＵ、ＨＤＤ、カードリーダ、ＩＤ比較部を備え、カードリーダが読み取ったＩＤと、ＨＤＤが保有しているＩＤとをＩＤ比較部が照合した結果、一定の条件を満たさなければ、電源を停止する、ＣＰＵを停止する、ＨＤＤの読み出しを禁止する、ＨＤＤ内のデータを削除する、ＨＤＤをフォーマットする、のうち少なくとも一つを行なうようにした情報処理装置。
【００１０】
（６）（５）において、ＨＤＤの読み出しを禁止する、ＨＤＤ内のデータを削除する、ＨＤＤをフォーマットする、のうち少なくとも一つを、ＨＤＤまたはＣＰＵが行なうようにした情報処理装置。
【００１１】
（７）電源、ＣＰＵ、ＨＤＤ、カードリーダ、ＩＤ比較部を備え、カードリーダがＩＤを読み出せなくなった場合、電源をＯＦＦにする、ＣＰＵを停止する、ＨＤＤの読み出しを禁止する、ＨＤＤ内のデータを削除する、ＨＤＤをフォーマットする、のうち少なくとも一つを行なうようにした情報処理装置。
【００１２】
（８）上記カードリーダは、非接触式カードリーダであることを特徴とする。
（９）電源、ＣＰＵ、ＨＤＤ、電源シーケンサ、監視部を備え、監視部が、予め決められた電源シーケンスを検出した後でなければ、起動しないようにした情報処理装置。
【００１３】
（１０）電源、ＣＰＵ、ＨＤＤ、電源シーケンサ、監視部を備え、監視部が、予め決められた電源シーケンスを検出した後でなければ、ＣＰＵまたはＨＤＤが起動しないようにした情報処理装置。
【００１４】
（１１）電源、ＣＰＵ、ＨＤＤ、電源シーケンサ、監視部を備え、監視部が、予め決められた電源シーケンスと異なるシーケンスを検出した場合、電源を停止する、ＣＰＵを停止する、ＨＤＤの読み出しを禁止する、ＨＤＤ内のデータを削除する、ＨＤＤをフォーマットする、のうち少なくとも一つを行なうようにした情報処理装置。
【００１５】
（１２）（１１）において、ＨＤＤの読み出しを禁止する、ＨＤＤ内のデータを削除する、ＨＤＤをフォーマットする、のうち少なくとも一つを、ＨＤＤまたはＣＰＵが行なうようにした情報処理装置。
【００１６】
（１３）予め決められた操作を、変更可能としたことを特徴とする情報処理装置。
（１４）予め決められた電源シーケンスを、変更可能としたことを特徴とする情報処理装置。
【００１７】
上記、情報処理装置の行なう処理の実行内容は、コンピュータプログラムなどの手順やステップとして表現すれば、コンピュータにより実行可能であるので、コンピュータに機能させるためのプログラムを記録した記録媒体やコンピュータに機能させるためのプログラムとしてもよい。
【００１８】
【発明の実施の形態】
以下、情報処理装置の実施形態について図面を参照して説明する。なお、実施の形態において同じ符号を付した構成要素は同様の動作を行うので、再度の説明を省略する場合がある。
【００１９】
（実施の形態１）
図１は、本発明の情報処理装置のブロック図である。図１において、情報処理装置１０は、ＣＰＵ１１、ＨＤＤ１２、電源１４、操作検出部１３を備えている。情報処理装置１０に対して、その内部に加えられる操作Ａで示した操作１５や外部から加えられる操作Ｂで示した操作１６を、操作検出部１３は監視しており、それらの操作が所定の操作でない場合は、電源１４を立ち上げないか、電源１４を停止し、ＣＰＵ１１の起動を行なわないか、または、ＣＰＵ１１を停止する。なお、端子１７は、情報処理装置１０の、ＣＰＵ１１、ＨＤＤ１２以外の、他の部分に対する電源供給端子である。上記のようにすれば、不正アクセスを目論むものが、情報処理装置１０のキーボードやスイッチの操作（操作Ｂ）により、あるいは、内部の基板上の電気信号に対して、操作（操作Ａ）を行なうと、それらの操作が所定の許された操作でない場合、ＨＤＤ１２を読み取ることができなくなり、データを不正に盗むことができなくなる。
【００２０】
なお、操作検出部１３が機能するための電源は図示しないが、別途存在し、かかる意味において、電源１４は主電源である。
【００２１】
操作検出部１３が所定の操作であることを検知した場合は、ＣＰＵ１１、ＨＤＤ１２は、正常に立ち上がり、動作を開始する。データの盗難を防止するには、操作検出部１３が所定の操作でないことを検知した場合は、操作検出部１３の指示により、電源１４を停止させて、ＣＰＵ１１、ＨＤＤ１２の少なくとも一方を停止させることは既に説明した。また、操作検出部１３は、ＣＰＵ１１に指示を出して、ＣＰＵ１１の動作を停止させるようにしてもよい。また、操作検出部１３の指示により、ＨＤＤ１２の読み出し動作を停止させるようにしてもよい。また、ＨＤＤ１２が、その内部のデータを削除するようにしてもよい。また、ＨＤＤ１２が、フォーマット処理を行ない、内部でデータを読み取り不可能にしてもよい。これらの、ＨＤＤ１２内のデータの変更処理をＨＤＤ１２自身が行なってもよいし、ＣＰＵ１１が行なうようにしてもよい。
【００２２】
なお、電源１４を立ち上げないとは、電源１４の出力電圧を０（Ｖ）あるいは、低い電圧のままとすること、出力回路をＯＦＦのままとするなどである。電源１４を停止するとは、出力電圧を０（Ｖ）あるいは、低い電圧に切り替える、あるいは、出力回路をＯＦＦに切り替えるなどである。
【００２３】
また、電源１４を主電源部と副電源部とより構成し、操作検出部１３は、副電源部により動作し、その他の部分は、主電源により動作するようにし、操作検出部１３は、主電源部の動作の起動と停止を制御するようにしてもよい。副電源は、バッテッリ電源とすることができる。
【００２４】
以上、本実施の形態によれば、予め決められた操作を受け付けた後でなければ、電源が立ち上がらないようにする、あるいは、予め決められた操作と異なる操作を受けた場合、電源を停止する、ＣＰＵを停止する、ＨＤＤの読み出しを禁止する、ＨＤＤ内のデータを削除する、ＨＤＤをフォーマットする、のうち少なくとも一つを行なうようにしたので、簡単に不正アクセスが行われることを防止できる。
【００２５】
（実施の形態２）
図２の（１）は、（実施の形態２）による、本発明の実施例のブロック図である。図２の（１）において、カードリーダ２１は、ＩＤカード２０が挿入されると、カードＩＤ情報を読み取る。カードＩＤ情報とは、ＩＤカード２０に記録されている識別情報（ＩＤ）である。ＩＤ比較部２３は、ＨＤＤ１２内に格納されているＨＤＤＩＤ情報とカードＩＤ情報を比較し、両方のＩＤ情報が一定の条件を満たす（例えば、一致している）場合にのみ、ＣＰＵ１１を起動させる、または、ＣＰＵ１１の動作を続行させる。一定の条件を満たさない（例えば、一致していない）場合には、電源１４を停止させる、ＣＰＵ１１を停止させる、ＣＰＵ１１を介してＨＤＤ１２の読み出しを停止させる等の処理の少なくとも１つを実行する。なお、ＨＤＤＩＤ情報は、ＨＤＤ１２が保持している識別情報である。
【００２６】
なお、不正読み出しを防止するには、（実施の形態１）で説明した処理と同様の処理を、ＩＤ比較部２３が指示するようにしてもよい。
【００２７】
なお、ＩＤ比較部２３の動作は、ＣＰＵ１１やＨＤＤ１２とは別のブロックで行なうように説明したが、ＣＰＵ１１内部、あるいは、ＨＤＤ１２内部のＣＰＵで行なうようにしてもよい。
【００２８】
なお、電源１４を主電源部と副電源部とより構成し、カードリーダ２１、ＩＤ比較部２３は、副電源部により動作し、その他の部分は、主電源により動作するようにし、操作検出部１３は、主電源部の動作の起動と停止を制御するようにしてもよい。副電源は、バッテッリ電源とすることができる。
【００２９】
以上、本実施の形態によれば、カードのＩＤとＨＤＤのＩＤが一定の条件を満たさない場合に、電源が立ち上がらないようにする、あるいは、電源を停止する、ＣＰＵを停止する、ＨＤＤの読み出しを禁止する、ＨＤＤ内のデータを削除する、ＨＤＤをフォーマットする、のうち少なくとも一つを行なうようにしたので、偽造カードなどによる不正アクセスを防止できる。
【００３０】
（実施の形態３）
図２の（２）は、（実施の形態３）による、本発明の実施例のブロック図である。図２の（２）において、カードリーダ２１は、ＩＤカード２０が挿入されると、カードＩＤ情報を読み取る。ＩＤ比較部２３は、ＨＤＤ１２内に格納されているＨＤＤＩＤ情報とカードＩＤ情報を比較し、両方のＩＤ情報が一定の条件を満たす（例えば、一致している）場合にのみ、ＨＤＤ１２の動作を続行させる。一定の条件を満たさない（例えば、一致していない）場合には、電源１４を停止させる、ＨＤＤ１２の読み出しを停止させる等の処理を行なう。
【００３１】
なお、不正読み出しを防止するには、（実施の形態１）で説明した処理と同様の処理を、ＩＤ比較部２３が指示するようにしてもよい。
【００３２】
なお、ＩＤ比較部２３の動作は、ＣＰＵ１１やＨＤＤ１２とは別のブロックで行なうように説明したが、ＣＰＵ１１内部、あるいは、ＨＤＤ１２内部のＣＰＵで行なうようにしてもよい。
【００３３】
なお、電源１４を主電源部と副電源部とより構成し、カードリーダ２１、ＩＤ比較部２３は、副電源部により動作し、その他の部分は、主電源により動作するようにし、操作検出部１３は、主電源部の動作の起動と停止を制御するようにしてもよい。副電源は、バッテッリ電源とすることができる。
【００３４】
以上、本実施の形態によれば、カードのＩＤとＨＤＤのＩＤが一定の条件を満たす場合のみＣＰＵが動作等し、不当な使用から情報処理装置を保護できる。
【００３５】
（実施の形態４）
図３は、（実施の形態４）による、本発明の実施例のブロック図である。図３において、ＡＣ／ＤＣコンバータ３０は、交流電源を直流電圧ＤＤ（Ｖ）に変換する。ＤＣ／ＤＣコンバータ３４は、所定の電源電圧、たとえば、１．２（Ｖ）に変換してＣＰＵ３１に供給する、ＣＰＵ３１用の電源である。
【００３６】
ＤＣ／ＤＣコンバータ３５は、所定の電源電圧、たとえば、５．０（Ｖ）、１２．０（Ｖ）などに変換してＨＤＤ３２に供給する、ＨＤＤ３２用の電源である。ＤＣ／ＤＣコンバータ３６は、所定の電源電圧、たとえば、１２．０（Ｖ）に変換してＦＤＤ３３に供給する、ＦＤＤ３３用の電源である。
【００３７】
電源シーケンサ３７は、各ＤＣ／ＤＣコンバータ３４、３５、３６を起動する電源シーケンスを記憶している。電源シーケンサ３７は、ＡＣ／ＤＣコンバータ３０より電源が供給されると、その時点から、電源シーケンスに従い、所定の順序で、所定の時間間隔で、起動制御信号を、各ＤＣ／ＤＣコンバータ３４、３５、３６に送る。
【００３８】
ＤＣ／ＤＣコンバータ３４、３５、３６は、起動制御信号にしたがって、その動作を制御されており、起動制御信号がＯＮのときに出力電力を負荷に供給する。ＣＰＵ３１、ＨＤＤ３２、ＦＤＤ３３は、それぞれ供給されている電源電圧を、あるいは、電源電圧を供給されたことを、監視部３８に伝える。
【００３９】
監視部３８は、所定の印加パターンに対応した正常範囲の電源シーケンスを記憶している。監視部３８は、ＣＰＵ３１、ＨＤＤ３２、ＦＤＤ３３に対する電源電圧の印加が、時間的に所定の順序か、所定の時間間隔か、などを監視し、シーケンスが正常範囲であれば、電源シーケンサ３７に正常印加であることを伝え、電源シーケンサ３７は、ＤＣ／ＤＣコンバータ３４、３５、３６の動作を継続させる。監視部３８が、シーケンスが正常範囲から外れていることを検知すると、監視部３８は、電源シーケンサ３７に、異常アクセスであることを伝え、電源シーケンサ３７は、ＤＣ／ＤＣコンバータ３４、３５、３６の動作を停止させる。
【００４０】
このようにすれば、ＨＤＤ３２から情報を不正に読みだせなくなる。ＣＰＵ３１、ＨＤＤ３２、ＦＤＤ３３に印加される電源電圧の状態は、それぞれＣＰＵ３１、ＨＤＤ３２、ＦＤＤ３３の内部から監視部３８に与えられる。電圧そのものを与えてもよいし、電源電圧が印可されたタイミングを示す信号を、監視部３８に与えるようにしてもよい。
【００４１】
監視部３８が記憶している正常範囲の電源シーケンスは、電源シーケンサ３７が記憶している電源シーケンスの各イベントを基準として、各イベントの時刻に前後の余裕幅を持たせたものとする。
【００４２】
なお、監視部３８が、所定でない印加パターンを検出したときに、監視部３８の指示により、破線で示すように、ＣＰＵ３１の動作を停止させるようにしてもよい。また、監視部３８の指示により、ＨＤＤ３２の読み出し動作を停止させるようにしてもよい。また、ＨＤＤ３２が、その内部のデータを削除するようにしてもよい。また、ＨＤＤ３２が、フォーマット処理を行ない、内部でデータを読み取り不可能にしてもよい。これらの、ＨＤＤ３２内のデータの変更処理をＨＤＤ３２自身が行なってもよいし、ＣＰＵ３１が行なうようにしてもよい。
【００４３】
上記説明では、ＣＰＵ３１、ＨＤＤ３２、ＦＤＤ３３を対象にしたが、ＣＰＵ３１、ＨＤＤ３２の２つのみを対象にしてもよい。
【００４４】
なお、電源シーケンサ３７と監視部３８は、副電源により、電源を供給して、動作するようにしてもよい。副電源は、バッテッリ電源とすることができる。
【００４５】
以上、本実施の形態によれば、予め決められたシーケンスで電圧が印加された場合のみＣＰＵが動作する等の処理を行うことにより、例えば、情報処理装置が盗まれ、情報処理装置の中の電源回路に外部から無理やり電力を供給して、情報処理装置を起動してしまうようなことができなくなる。したがって、不当な情報処理装置の利用が極めて困難になる。
【００４６】
（実施の形態５）
図４は、（実施の形態５）による、本発明の実施例のブロック図である。図５において、監視部４８には、ＣＰＵ３１、ＨＤＤ３２、ＦＤＤ３３に印加される電源電圧が供給され、監視部４８は、各電源電圧の印加タイミングが所定通りかどうかを判定している。その他の部分は、図３の（実施の形態４）における場合と同様であるので、説明を省く。
【００４７】
監視部４８が所定の印加パターンであることを検知した場合は、ＣＰＵ３１、ＨＤＤ３２、ＦＤＤ３３は、正常に立ち上がり動作を開始する。監視部４８が、所定でない印加パターンを検出したときには、監視部４８の指示により、電源シーケンサ３７は、ＤＣ／ＤＣコンバータ３４、３５の一方、あるいは両方を停止させ、ＣＰＵ３１、ＨＤＤ３２の一方、または、両方を停止させる。または、監視部４８は、ＣＰＵ３１の動作を停止させるようにしてもよい。また、監視部４８の指示により、ＨＤＤ３２の読み出し動作を停止させるようにしてもよい。また、ＨＤＤ３２が、その内部のデータを削除するようにしてもよい。また、ＨＤＤ３２が、フォーマット処理を行ない、内部でデータを読み取り不可能にしてもよい。これらの、ＨＤＤ３２内のデータの変更処理をＨＤＤ３２自身が行なってもよいし、ＣＰＵ３１が行なうようにしてもよい。
【００４８】
上記説明では、ＣＰＵ３１、ＨＤＤ３２、ＦＤＤ３３を対象にしたが、ＣＰＵ３１、ＨＤＤ３２の２つのみを対象にしてもよい。
【００４９】
なお、電源シーケンサ３７と監視部４８は、副電源により、電源を供給して、動作するようにしてもよい。副電源は、バッテッリ電源とすることができる。
【００５０】
以上、本実施の形態によれば、電源、ＣＰＵ、ＨＤＤ、電源シーケンサ、監視部を備え、監視部が、予め決められた電源シーケンスを検出した後でなければ、情報処理装置が起動しない、ＣＰＵまたはＨＤＤが起動しない、監視部が、予め決められた電源シーケンスと異なるシーケンスを検出した場合、電源を停止する、ＣＰＵを停止する、ＨＤＤの読み出しを禁止する、ＨＤＤ内のデータを削除する、ＨＤＤをフォーマットする、のうち少なくとも一つを行なうようにしたので、外部電源により、情報処理装置の内部を強制的に立ち上げて、内部データに不正アクセスを行なう行為を防止できる。
【００５１】
（その他の実施の形態）
図１の（実施の形態１）において、所定の操作を情報処理装置１０において、使用者が変更設定できるようにしてもよい。このようにすれば、定期的に正しい操作手順を変更できるので、不正アクセスを防止し易くなる。
【００５２】
また、図３の（実施の形態４）、図４の（実施の形態５）において、電源シーケンサ３７の発生する電源シーケンスを、使用者が、あるいは、情報処理装置１０自身が定期的に、変更できるようにしてもよい。変更すると、監視部３８、４８の記憶している正常範囲の電源シーケンスの方もあわせて変更する。このようにすれば、定期的に、あるいは不定期的に、正しいシーケンスが変わっているので、不正アクセスを防止し易くなる。さらに、予め決められた操作、予め決められた電源シーケンスを情報処理装置が自動的に定期的に、変更できるようにすれば、不正アクセスの防止効果がより高まる。
【００５３】
また、図１の（実施の形態１）、図２（１）の（実施の形態２）、図２（２）の（実施の形態３）、図３の（実施の形態４）、図４の（実施の形態５）、のいずれかを組み合わせてもよい。
【００５４】
図２（１）、（２）の実施の形態において、ＩＤカード２０とカードリーダ２１は、非接触式、例えば、無線通信による情報伝送方式としてもよい。この場合、使用者がＩＤカード２０を持ったまま、席を離れると、カードリーダ２１は、ＩＤカード２０が遠隔地へ移動したことを検知し、電源１４、ＣＰＵ１１を停止して、情報処理装置１０を停止するようにしてもよい。このようにすれば、無駄な電力の消費を減らすこともできることになる。また、電源、ＣＰＵ、ＨＤＤ、カードリーダ、ＩＤ比較部を備え、カードリーダがＩＤを読み出せなくなった場合、電源をＯＦＦにする、ＣＰＵを停止する、ＨＤＤの読み出しを禁止する、ＨＤＤ内のデータを削除する、ＨＤＤをフォーマットする、のうち少なくとも一つを行なうようにしたので、使用者が不在中の不正アクセスを防止できる。
【００５５】
なお、上記各実施の形態の説明において、電源を停止する場合、電源全体を停止する、電源の一部、例えば、主電源を停止する、ＡＣ／ＤＣコンバータ３０を停止する、ＤＣ／ＤＣコンバータ３４、３５、３６の一部を停止する、など、いくつかの形態が取りうる。すなわち、不正アクセスに関わる部分の電源を停止すればよく、システムによって、適宜設計することができる。
【００５６】
なお、上記、各実施の形態は、それぞれの処理を行なうステップを、手順やコンピュータの処理プログラムとして備えさせることにより、本発明の情報処理方法の形にすることができる。
【発明の効果】
以上のように、本発明によれば、不当な情報処理装置の利用が極めて困難となる。
【図面の簡単な説明】
【図１】本発明の一実施形態による情報処理装置のブロック図
【図２】本発明の一実施形態による情報処理装置のブロック図
【図３】本発明の一実施形態に使用する情報処理装置のブロック図
【図４】本発明の一実施形態に使用する情報処理装置のブロック図
【符号の説明】
１０  情報処理装置
１１、３１  ＣＰＵ
１２、３２  ＨＤＤ
１３  操作検出部
１４  電源
２０  ＩＤカード
２１  カードリーダ
２３  ＩＤ比較部
３０  ＡＣ／ＤＣコンバータ
３４、３５、３６  ＤＣ／ＤＣコンバータ
３７  電圧シーケンサ
３８、４８  監視部
【図１】
2004192191.tif 000003
【図２】
2004192191.tif 000004
【図３】
2004192191.tif 000005
【図４】
2004192191.tif 000006